(57)【要約】      （修正有）【課題】患者の顎骨の小窩に植え付けるためのインプラント体固定部材を提供する。【解決手段】インプラント体固定部材６０は、延在する軸部と、延在する軸部の上に位置するヘッド部とを含み、ヘッド部は、少なくとも二つの狭い側面領域１２０、１２５を含み、ヘッド部の狭い側面領域は、ヘッド部の中に向かって半径方向内側に延びる凹面領域として形成されており、凹面領域は、骨がその中で成長するための領域を与える。延在する軸部は、雄ネジを含む。ヘッド部の二つの凹面領域の間には、凸面領域１１５、１３０が存在し、ヘッド部は、凹面領域に対して近位に位置するテーパー状の部分を含み、凹面領域の凹面は、テーパー状の部分中に伸びている。【選択図】図５ａ
2020062470.tif 000002
【特許請求の範囲】
【請求項１】
延在する軸部と、
前記延在する軸部の上に位置するヘッド部とを含み、
前記ヘッド部は、少なくとも二つの狭い側面領域を含み、
前記ヘッド部の第一の狭い側面領域は、前記ヘッド部の中に向かって半径方向内側に延びる第一凹面領域として形成されており、前記第一凹面領域は、骨がその中で成長するための領域を与え、
前記ヘッド部の第二の狭い側面領域は、前記ヘッド部の中に向かって半径方向内側に延びる第二凹面領域として形成されており、前記第二凹面領域は、骨がその中で成長するための領域を与え、
前記延在する軸部は、雄ネジを含み、
前記ヘッド部の前記第一凹面領域と前記第二凹面領域との間には、第一凸面領域及び第二凸面領域が存在し、
前記ヘッド部は、前記第一凹面領域及び前記第二凹面領域に対して近位に位置するテーパー状の部分を含み、
前記第一凹面領域の凹面は、前記テーパー状の部分中に伸びており、及び／又は前記第二凹面領域の凹面は、前記テーパー状の部分中に伸びている、ことを特徴とする患者の顎骨の小窩に植え付けるためのインプラント体固定部材。
【請求項２】
前記ヘッド部の少なくとも一部は、前記ヘッド部の近い末端に向かって先細りになっている、
請求項１に記載のインプラント体固定部材。
【請求項３】
前記第一凹面領域は、患者口腔の顔側の歯肉組織の輪廓に適応するように配置され、かつ患者のリップの内表面に隣接した場所に位置しており、前記第二凹面領域は、患者の口腔の舌側の歯肉組織の輪廓に適応するように配置され、かつ患者の舌に隣接した場所に位置している、
請求項１又は２に記載のインプラント体固定部材。
【請求項４】
前記第一凹面領域は、患者の顔の内表面に隣接した場所に位置している患者口腔の顔側に骨の成長のための領域を与えるように構成されており、前記第二凹面領域は、患者口腔の舌側に骨の成長のための領域を与えるように構成されている、
請求項１又は２に記載のインプラントシステム。
【請求項５】
前記延在する軸部は、インプラント体固定部材の遠い末端に向かって少なくとも部分的に先細りになっている、
請求項１〜４のいずれかに記載のインプラント体固定部材。
【請求項６】
請求項１〜５のいずれかに記載のインプラント体固定部材を含むことを特徴とするインプラントシステム。
【請求項７】
さらに、ベズ部材を含み、
前記ベズ部材は、表面を含む一方の末端を含み、
前記表面は、少なくとも１つの凹面領域を有する、
請求項６に記載のインプラントシステム。
【請求項８】
前記ベズ部材は、さらに突出接合端を有し、
前記インプラント体固定部材は、さらに前記突出接合端を収納するように配置された段階式の内部閉止穴を含む、
請求項７に記載のインプラントシステム。
【発明の詳細な説明】
【技術分野】
【０００１】
本出願は、出願日が２０１４年８月２９日で、臨時出願番号が６２／０４３７７７である米国特許出願の優先権を要求し、その全部内容を本文に引用する。本出願は、出願日が２０１４年１１月２９日で、臨時出願番号が６２／０８５５１４である米国特許出願の優先権を要求し、その全部内容を本文に引用する。本出願は、出願日が２０１４年１２月２６日で、臨時出願番号が１４／５８３３９２である米国特許出願の優先権を要求し、その全部内容を本文に引用する。
【０００２】
本発明は、デンタルインプラントの分野に関する。
【背景技術】
【０００３】
何千名の臨床医師は、隣接／または対置する歯を有するデンタルインプラントで支持する修復を施術したことがある。図１ａ〜図１ｄには、例示的な修復過程を示す。図１ａを参照すると、小窩１０は、患者の顎骨１５に形成してデンタルインプラント固定部材を収納する。デンタルインプラント固定部材２０が小窩１０に固定されると（図１ｂに示す）、ベズ部材２５はデンタルインプラント固定部材２０に結合される（図１ｃおよび図１ｄに示す）。歯の類似物３０がベズ部材２５に結合すると、修復過程は完了する。
【０００４】
最近の研究によると、単一歯と／又は複数の歯インプラント体の修復を有する人は、インプラント体修復を施術してから微妙な頭蓋顔面が継続して成長する美学的、機能的、修復的及び／又は歯周の分枝が発生されたことを確定した。
【０００５】
頭蓋顔面の成長は、例えば噛合の変化、歯の遷移及びその後の開口接触の効果及び／又は前面美学的な変化を起こして、インプラント体修復と残し歯と口蓋の構造の関係に影響を与える。
【０００６】
噛合の変化の原因は、インプラント体を含む歯列弓及び対置する歯列弓における継続的な成長にある。この場合、インプラント体と関連修復体の位置は静止しており、歯は顔部と噛合の二つの方向で全部運動される。これらの潜在的な変化は性別に関係ない。主な噛合い負荷を支える後ろ自由端のインプラント体修復の場合、時間の流れに従ってこれらの運動はインプラント体修復の効果を無効にし、残っている歯列に不利な圧力を付加する。
【０００７】
デンタルインプラントが存在するのと同じ歯列弓に自然歯が位置する場合、予期しなかった長期併発症は、インプラント体修復と代表的に当該インプラント体修復の元の自然歯との間の接触間隙で多く観察された。年齢、対置歯列の状況、隣接歯の生命力と前の自然歯の仕切れ板は、自然歯がインプラント体修復と接触する損害に著しい影響を与える。当該接触損害は、性別に関係なく、顎でより普通に発生し、時間の流れに従って増加する。
【０００８】
機能の変化、噛合い及び接触間隙の結果の以外に、時間の流れに従う微妙な成長も美学結果を変化させるのは安定的であると認められる。隣接歯に対して、切り出した周囲長さ、歯肉周囲高さ及び顔面部輪額の三つの見られる領域でのずれは既に明確になる。押し付けと下の口蓋骨と歯に対する軽い打撃もまた、以上の三つのずれを引き起こし得る。このような微妙な成長過程に付随して生じるもう一つの結果は、デンタルインプラント又はベズ部の上のリップの柔組織が薄くなることである。
【０００９】
面部位置合わせのずれは、リップ側の元のインプラント体修復が適当に修復又は修正されないようにし、これは発生した厳しさだけによるものではなく、インプラント体の軸方向の位置合わせ、柔組織の深さ、リップ側／口蓋の歯肉での位置決め等の要素にも関係がある。インプラント体修復の歯頸縁と隣接する自然歯の歯頸縁との間において徐々に大きくなるずれは、容易に解決できない美学的な併発症である。
【００１０】
以上のように、デンタルインプラントに対する改善が必要である。
本願発明によれば、以下の（１）〜（１４）の構成が提供される。
（１）伸び出した軸部と、
少なくとも一つの狭い側面領域を含むヘッド部と、を含み、
狭い側面領域は骨がその中で成長するための領域を提供することによって、頭蓋顔面の成長によるインプラント体固定部材に隣接する顎骨の退化を補償する、
患者の顎骨の小窩に植え付けるためのインプラント体固定部材。
（２）狭い側面領域は骨がその中で成長することを許すための凹面型領域を提供して、頭蓋顔面の成長によるインプラント体固定部材に隣接する顎骨の退化を補償する、
（１）に記載のインプラント体固定部材。
（３）ヘッド部は、少なくとも一つの広い側面領域を含む
（１）または（２）に記載のインプラント体固定部材。
（４）狭い側面領域は、患者の口腔の顔面部側の歯齦組織の輪廓に適応するように配置され、患者の顔の内面に隣接して位置決めている、
（１）から（３）の何れか一項に記載のインプラント体固定部材。
（５）ヘッド部は、他の一つの狭い側面領域を含む、
（１）から（４）の何れか一項に記載のインプラント体固定部材。
（６）少なくとも一つの狭い側面領域は、患者の口腔の顔面部側の歯齦組織の輪廓に適応するように配置され、患者の顔の内面に隣接して位置決めている、
（５）に記載のインプラント体固定部材。
（７）他の狭い側面領域は、患者の口腔の舌側の歯齦組織の輪廓に適応するように配置され、患者の舌に隣接して位置決めている、
（６）に記載のインプラント体固定部材。
（８）伸び出した軸部と、
骨が成長するための少なくとも一つの凹面領域を含むヘッド部と、を含む
患者の顎骨の小窩に植え付けるためのインプラント体固定部材。
（９）ヘッド部は、少なくとも一つの広い側面領域を含む、
（８）に記載のインプラント体固定部材。
（１０）凹面領域は、患者の口腔の顔面部側の歯齦組織の輪廓に適応するように配置され、患者の顔の内面に隣接して位置決めている、
（８）または（９）に記載のインプラント体固定部材。
（１１）ヘッド部は、他の凹面領域を含む、
（８）から（１０）の何れか一項に記載のインプラント体固定部材。
（１２）少なくとも一つの凹面領域は、患者の口腔の顔面部側の歯齦組織の輪廓に適応するように配置され、患者の顔の内面に隣接して位置決めている、
（１１）に記載のインプラント体固定部材。
（１３）他の凹面領域は、患者の口腔の舌側の歯齦組織の輪廓に適応するように配置され、患者の舌に隣接して位置決めている、
（１２）に記載のインプラント体固定部材。
（１４）遠い末端を有する伸び出した軸部と、
近い末端を有するヘッド部と、を含み、
ヘッド部は、伸び出した軸部に隣接する第一直径と近い末端に隣接する第二直径とを含み、
伸び出した軸部は、ヘッド部に隣接する第一直径と遠い末端に隣接する第二直径とを含み、
ヘッド部の第二直径は伸び出した軸部の第一直径より小さい、
患者の顎骨の小窩に植え付けるためのインプラント体固定部材。
【図面の簡単な説明】
【００１１】
【図１ａ】本分野で公知の修復過程を示す。
【図１ｂ】本分野で公知の修復過程を示す。
【図１ｃ】本分野で公知の修復過程を示す。
【図１ｄ】本分野で公知の修復過程を示す。
【図２ａ】本分野で公知のデンタルインプラントを示す。
【図２ｂ】本分野で公知のデンタルインプラントを示す。
【図３ａ】本開示のある実施形態によるデンタルインプラントシステムを示す。
【図３ｂ】本開示のある実施形態によるデンタルインプラント固定部材を示す。
【図３ｃ】本開示のある実施形態によるデンタルインプラント固定部材を示す。
【図４】図３ｂに示すデンタルインプラント固定部材の横方向の断面図を示す。
【図５ａ】図３ｂに示すデンタルインプラント固定部材の平面図を示す。
【図５ｂ】本開示のある実施形態によるベズ部材の底面図を示す。
【図６】本開示のある実施形態による他のデンタルインプラント固定部材を示す。
【図７ａ】本開示のある実施形態によるデンタルインプラント固定部材を示す。
【図７ｂ】図７ａに示すデンタルインプラントの平面図を示す。
【図７ｃ】図７ａに示すデンタルインプラント固定部材の横方向の断面図を示す。
【発明を実施するための形態】
【００１２】
以下の記述で、類似な図面標記は類似な部材を区別するために用いられる。また、図面は、図解の方式で例示的な実施方案の主な特徴を示すもので、実現製品の特徴毎または示した部材の相対的サイズを示すものではなく、また比例に従って描いたものではない。
【００１３】
以下の記述で、多い具体的な詳細内容を記述して本文で公開するいろいろな具体的な実施方案を記載する。しかし、本分野の当業者であれば、以下で検討する全部の具体的な詳細を有しなく保護しようとする発明を実施することができる。他の場合、本発明が不明確になることを防止するように公知の特徴は記載しない。
【００１４】
本文での記載表現及び技術用語は記載を目的とするもので、限定的に理解しないべきである。本文で「含む」、「具備する」または「有する」及びその変形的な表現は、その後に挙げた項目及びその均等物と付加項目も含む。他に限定していない限り、本文での技術用語「接続」、「結合」及び「実装」及びその変形的な表現は、直接及び間接的に接続、結合及び実装されたことを含む。また、技術用語「接続」、「結合」及びその変形的な表現は、物理的または機械的に接続または結合に限定されない。
【００１５】
一方面によると、患者の顎骨の小窩に植え付けるためのインプラント体固定部材を公開する。インプラント体固定部材は、伸び出した軸部と、少なくとも一つの狭い側面領域を含むヘッド部とを含み、狭い側面領域は、骨がその中で成長するための領域を提供することによって、頭蓋顔面の成長によるインプラント体固定部材に隣接する顎骨の退化を補償する。
【００１６】
他の方面によると、患者の顎骨の小窩に植え付けるためのインプラント体固定部材を公開する。当該インプラント体固定部材は、伸び出した軸部と、ヘッド部とを含み、ヘッド部は、骨が成長するための少なくとも一つの凹面領域を含む。
【００１７】
他の方面によると、患者の顎骨の小窩に植え付けるためのインプラント体固定部材を公開する。インプラント体固定部材は、遠い末端を有する伸び出した軸部と、近い末端を有するヘッド部とを含み、ヘッド部は、伸び出した軸部に隣接する第一直径と近い末端に隣接する第二直径とを含み、伸び出した軸部は、ヘッド部に隣接する第一直径と遠い末端に隣接する第二直径とを含み、ヘッド部の第二直径は伸び出した軸部の第一直径より小さい。
【００１８】
図２ａは、本分野で公知の顎骨４０に形成した小窩に挿入しベズ部材４５及び歯の類似物５０に結合するデンタルインプラント固定部材３５を示す。デンタルインプラント固定部材３５は、狭い遠い末端３７からベズ部材４５へ伸び出す縦方向の凹溝（即ち、裏スロット）３６を有する。縦方向の凹溝３６は大きい表面領域を提供し、骨は当該面領域で成長して、インプラント体固定部材３５が顎骨４０で縦方向及び回転運動することを防止する。
【００１９】
頭蓋顔面の成長によって、時間が流れるほど、デンタルインプラント固定部材３５に隣接する顎骨４０及び／又は柔組織５５は少なくとも一部が劣化されて、デンタルインプラント固定部材３５及び／又はベズ部材４５が暴露され、図２ｂに示すようになる。その時、本分野で公知の過程によって、デンタルインプラント固定部材３５を取り除く。デンタルインプラント固定部材３５を取り除く過程は少なくとも一部が縦方向の凹溝３６での骨の成長によって複雑になり、それはデンタルインプラント固定部材３５が顎骨４０から捻られて緩くなることを防止する。
【００２０】
図３ａは、本公開のデンタルインプラントシステム６１を示す。ある実施例で、当該デンタルインプラントシステム６１は、ボルト部材６２と、ベズ部材６３と、デンタルインプラント固定部材６０とを含む。
【００２１】
ある実施例で、ボルト部材６２は、ヘッドセグメント３０１と、軸セグメント３０２とを含む。ある実施例で、ヘッドセグメント３０１は、一般的に、トップ凹口、十字形凹口３０３又は何れの他の適当な手段を有して駆動ツールを収納するための円盤形であり、駆動ツールは、例えばネジ回し式のツール或いは何れかの他のツールであって、ボルト部材６２を回転させるためのものである。ある実施例で、軸セグメント３０２は、ヘッドセグメント３０１に結合する一つの端部を有する。ある実施例で、軸セグメント３０２は、雄ネジ３０４を含み、雄ネジ３０４は、ヘッドセグメント３０１に対置し軸セグメント３０２の少なくとも一部の長さに沿って伸び出すように位置決める。
【００２２】
図３ｂは、本開示によるデンタルインプラント固定部材６０を示す。本開示に係るある実施例では、デンタルインプラント固定部材６０は、近い末端７０のヘッド部６５を有する。ある実施例で、固定部材６０は、遠い末端８１の伸び出した軸部７５を含む。ある実施例で、ヘッド部６５は、軸部７５に全体的に結合して一体のインプラント体固定部材６０を形成する。このような構造は、細菌又は他の感染がインプラント体固定部材６０のヘ
ッド部と軸部との間で成長することを防止する。ある実施例で、伸び出した軸部７５は、テーパー状である。
【００２３】
ある実施例で、インプラント体固定部材６０は、一部が近い末端７０から下方向へ軸部７５までに伸びだした段階式の内部閉止穴８０を含む。ある実施例で、段階式の内部閉止穴８０は偏心されている。ある実施例で、内部閉止穴８０は、少なくとも一部の長さに沿っている雌ネジ８５と、雌ネジ８５の上に位置するリングフレーム９０（図４に示す）とを含む。ある実施例で、当該雌ネジ８５は、ボルト部材６２の雄ネジ３０４に適応するように配置されている。ある実施例で、段階式の内部閉止穴８０は、ベズ部材６３の突出接続端３０７（以下でより詳細に記述する）を収納するように配置されている。
【００２４】
図５ａは、公開するある実施例によるインプラント体固定部材６０の平面図を示す。ある実施例で、近い末端７０は、円形のフラット表面９５を有し、円形のフラット表面９５は、長い軸線と短い軸線の周囲表面１００によって囲まれる。ある実施例で、近い末端７０は、さらに、標準歯科ツールを収納するための小先端の二つ以上の穴径１０５、１１０を有し、標準歯科ツールは、例えばインプラント体固定部材６０を配向するためのインプラント体フレーム又は手動駆動器である。ある実施例で、ヘッド部６５は、少なくとも一つの狭い面部側表面領域１２０と、少なくとも一つの広い隣接側表面領域１１５とを含む。面部側表面領域１２０は、患者口腔の顔側の歯肉組織の輪廓に適応し、それは患者のリップの内表面に隣接して位置決めており、隣接側表面領域１１５は、患者口腔の隣接側の歯肉組織の輪廓に適応し、患者の他の歯及び／又はインプラント体に隣接して位置決めている。ある実施例で、面部側表面領域１２０は、円形フラット表面９５の中心に凹み込んでいる。
【００２５】
ある実施例で、ヘッド部６５は、狭い舌側表面領域１２５と、少なくとも一つの広い隣接側表面領域１３０とを含む。舌側表面領域１２５は、患者口腔の舌側の歯肉組織の輪廓に適応し、患者の舌又は口蓋に隣接して位置決めており、隣接側表面領域１３０は、患者口腔の隣接側の歯肉組織の輪廓に適応し、患者他の歯及び／又はインプラント体に隣接して位置決めている。ある実施例で、舌側表面領域１２５は、円形フラット表面９５の中心に凹み込んでいる。
【００２６】
ある実施例で、面部側表面領域１２０及び／又は舌側表面領域１２５は、骨がその中で成長するための領域を提供して、頭蓋顔面の成長によるインプラント体固定部材６０に隣接する顎骨の退化を補償する。ある実施例で、面部側表面領域１２０及び／又は狭い舌側表面領域１２５は、骨がその中で成長するためのアーチ型の領域を提供して、頭蓋顔面の成長によるインプラント体固定部材６０に隣接する顎骨の退化を補償する。ある実施例で、面部側表面領域１２０及び／又は狭い舌側表面領域１２５は、骨がその中で成長するためのフラットな領域を提供して、頭蓋顔面の成長によるインプラント体固定部材６０に隣接する顎骨の退化を補償する。ある実施例で、面部側表面領域１２０及び／又は狭い舌側表面領域１２５は、骨がその中で成長するための凹面形領域を提供して、頭蓋顔面の成長によるインプラント体固定部材６０に隣接する顎骨の退化を補償する。面部側表面領域１２０及び／又は狭い舌側表面領域１２５に隣接する骨体積及び／又は柔組織体積の増加は、インプラント体固定部材６０の早期暴露を防止する。
【００２７】
ある実施例で、面部側表面領域１２０及び／又は舌側表面領域１２５は、凹面形領域を提供して、存在する骨と面部側表面領域１２０及び／又は舌側表面領域１２５の間の間隙による骨形成を改善する。ある実施例で、面部側表面領域１２０及び／又は舌側表面領域１２５は、大きい骨がその中で成長するための凹面形領域を提供する。ある実施例で、面部側表面領域１２０及び／又は舌側表面領域１２５は、凹面形領域を提供して、当該過程期間及び／又は当該過程に続く骨とヘッド部６５の間の圧力を防止／最小化する。当該過
程期間及び／又は当該過程に続く骨とヘッド部６５の間の圧力を防止及び／又は最小化して、ヘッド部６５周囲の骨の再吸収を防止し、及び／又はヘッド部６５周囲の骨形成の増加を許す。ある実施例で、面部側表面領域１２０及び／又は舌側表面領域１２５は、骨及び／又は柔組織がその中で成長することを許すための凹面形領域を提供する。
【００２８】
ある実施例で、デンタルインプラント固定部材６０は縦方向の凹溝３６（図２ａおよび図２ｂに示す）を含まないので、骨がその中で成長することを防止し、患者の顎骨に対する傷害が小さくデンタルインプラント固定部材６０を取り除くことができる。ある実施例で、面部側表面領域１２０及び／又は舌側表面領域１２５は、骨がその中で成長できる領域を提供して、インプラント体固定部材６０の患者の顎骨での縦方向及び回転運動を防止する。
【００２９】
ある実施例で、軸部７５は、その少なくとも一部の長さに沿って伸び出した雄ネジ７６を含む。ある実施例で、雄ネジ７６は、連続するものである。ある実施例で、雄ネジ７６は、Ｖ形ネジ、四角ネジ、偏台形ネジ、逆方向偏台形ネジまたはこれらのネジでの二つ以上の組合せである。ある実施例で、軸部７５は、遠い末端８１からヘッド部６５へ伸び出した基本的に縦方向の凹溝或いは裏スロット（示しない）を含む。縦方向の凹溝（示しない）は、大きい表面領域を提供し、骨は当該面領域で成長して形成して、インプラント体固定部材６０の顎骨での縦方向及び回転運動を防止する。
【００３０】
図３ａを参照すると、ある実施例で、ベズ部材６３は、円形開口を有する遠い末端３０６を含み、円形開口はボルト部材６２の軸セグメント３０２に適応する。図３ａを参照すると、ある実施例で、ベズ部材６３は、近い末端部分３０８を含み、近い末端部分３０８はそれから伸び出した突出接続端３０７を有する。
【００３１】
図５ｂを参照すると、公開するある実施例によるベズ部材６３の底面図をしめす。ある実施例によると、近い末端部分３０８は、表面３０９を含む。ある実施例で、当該表面３０９は、長い軸線と短い軸線とを含む。ある実施例で、近い末端部分３０８は、少なくとも一つの狭い面部側表面領域４２０と、少なくとも一つの広い隣接側表面領域４１５とを含む。ある実施例で、面部側表面領域４２０は、基本的に面部側表面領域１２０に類似する。ある実施例で、隣接側表面領域４１５は、基本的に隣接側表面領域１１５に類似する。ある実施例で、面部側表面領域４２０は、ベズ部材６３の中心に凹み込む。
【００３２】
ある実施例で、近い末端部分３０８は、狭い舌側表面領域４２５と、少なくとも一つの広い隣接側表面領域４３０とを含む。ある実施例で、舌側表面領域４２５は、基本的に舌側表面領域１２５に類似する。ある実施例で、隣接側表面領域４３０は、基本的に隣接側表面領域１３０に類似する。ある実施例で、舌側表面領域４２５は、ベズ部材６３の中心に凹み込む。
【００３３】
ある実施例で、ベズ部材６３は、ヘッド部６５に結合するように配置され、図３ｃに示すようである。ある実施例で、ベズ部材６３は、ヘッド部６５に結合するように配置され、面部側表面領域４２０が面部側表面領域１２０に位置合わせるようにする。ある実施例で、ベズ部材６３は、ヘッド部６５に結合するように配置され、隣接側表面領域４１５が隣接側表面領域１１５に位置合わせるようにする。ある実施例で、ベズ部材６３は、ヘッド部６５に結合するように配置され、舌側表面領域４２５が舌側表面領域１２５に位置合わせるようにする。ある実施例で、ベズ部材６３は、ヘッド部６５に結合するように配置され、隣接側表面領域４３０が隣接側表面領域１３０に位置合わせるようにする。
【００３４】
ある実施例で、面部側表面領域４２０及び／又は舌側表面領域４２５は、その中で成長するための領域を提供して、頭蓋顔面の成長によるベズ部材６３に隣接する顎骨の退化を
補償する。ある実施例で、面部側表面領域４２０及び／又は狭い舌側表面領域４２５は、その中で成長するためのアーチ型の領域を提供して、頭蓋顔面の成長によるベズ部材６３に隣接する顎骨の退化を補償する。ある実施例で、面部側表面領域４２０及び／又は狭い舌側表面領域４２５は、骨がその中で成長するためのフラットな領域を提供して、頭蓋顔面の成長によるベズ部材６３に隣接する顎骨の退化を補償する。ある実施例で、面部側表面領域４２０及び／又は狭い舌側表面領域４２５は、骨がその中で成長するための凹面形領域を提供して、頭蓋顔面の成長によるベズ部材６３に隣接する顎骨の退化を補償する。面部側表面領域４２０及び／又は狭い舌側表面領域４２５に隣接する骨体積及び／又は柔組織体積の増加は、ベズ部材６３の早期暴露を防止する。
【００３５】
ある実施例で、面部側表面領域４２０及び／又は舌側表面領域４２５は、凹面形領域を提供して、存在する骨と面部側表面領域４２０及び／又は舌側表面領域４２５の間の間隙による骨形成を改善する。ある実施例で、面部側表面領域４２０及び／又は舌側表面領域４２５は、大きい骨がその中で成長するための凹面形領域を提供する。ある実施例で、面部側表面領域４２０及び／又は舌側表面領域４２５は、凹面形領域を提供して、当該過程期間及び／又は当該過程に続く骨とベズ部材６３の間の圧力を防止／最小化する。当該過程期間及び／又は当該過程に続く骨とベズ部材６３の間の圧力を防止及び／又は最小化して、ベズ部材６３周囲の骨の再吸収を防止し、及び／又はベズ部材６３周囲の骨形成の増加を許す。ある実施例で、面部側表面領域４２０及び／又は舌側表面領域４２５は、骨及び／又は柔組織がその中で成長することを許すための凹面形領域を提供する。
【００３６】
図６を参照すると、本公開によるデンタルインプラント固定部材２００を示す。公開するある実施例で、デンタルインプラント固定部材２００は、近い末端２７０を有するヘッド部２６５を含む。ある実施例で、固定部材２００は、遠い末端２８０を有する伸び出した軸部２７５を含む。ある実施例で、ヘッド部２６５は、軸部２７５と全体的に結合して、一体のインプラント体固定部材２００を形成する。このような構造は、細菌又は他の感染がインプラント体固定部材２００のヘッド部と軸部との間で成長することを防止する。ある実施例で、伸び出した軸部２７５は、テーパー状である。
【００３７】
図６を参照すると、ある実施例で、当該ヘッド部２６５は、基本的に円形であり、軸部２７５に隣接する第一ヘッド部の直径３００と、近い末端２７０に隣接する第二ヘッド部の直径３０５を含む。ある実施例で、軸部２７５は、基本的に円形であり、ヘッド部２６５に隣接する第一軸の直径３１０と、遠い末端２８０に隣接する第二軸の直径３２０を含む。
【００３８】
ある実施例で、第一ヘッド部直径３００は、第一軸の直径３１０より小さい。ある実施例で、第二ヘッド部の直径３０５は、第一軸の直径３１０より小さい。ある実施例で、第一ヘッド部の直径３００と第二ヘッド部の直径３０５は、第一軸の直径３１０より小さい。ある実施例で、第一ヘッド部の直径３００と第二ヘッド部の直径３０５は、基本的に第一軸の直径３１０に等しい。ある実施例で、第二ヘッド部の直径３０５は、基本的に第一軸の直径３１０に等しい。ある実施例で、第一軸の直径３１０は、基本的に第二軸の直径３２０に等しい。ある実施例で、第二軸の直径３２０は、第一軸の直径３１０より小さい。
【００３９】
ある実施例で、ヘッド部２６５は、骨がその中で成長するための領域を提供して、頭蓋顔面の成長によるインプラント体固定部材２００に隣接する顎骨の退化を補償する。ある実施例で、ヘッド部２６５は、骨がその中で成長するためのアーチ型の領域を提供して、頭蓋顔面の成長によるインプラント体固定部材２００に隣接する顎骨の退化を補償する。ある実施例で、ヘッド部２６５は、骨がその中で成長するための凹面形領域を提供して、頭蓋顔面の成長によるインプラント体固定部材２００に隣接する顎骨の退化を補償する。
ヘッド部２６５に隣接する骨体積及び／又は柔組織体積の増加は、デンタルインプラント固定部材２００が早期に露出してしまうのを防止する。
【００４０】
ある実施例で、ヘッド部２６５は、凹面形領域を提供して、存在する骨と凹面形区域の間の間隙による骨形成を改善する。ある実施例で、ヘッド部２６５は、凹面形区域を提供して、大きい骨がその中で成長するようにする。ある実施例で、ヘッド部２６５は、凹面形領域を提供して、当該過程期間及び／又は当該過程に続く骨とヘッド部２６５の間の圧力を防止／最小化する。当該過程期間及び／又は当該過程に続く骨とヘッド部２６５の間の圧力を防止及び／又は最小化して、ヘッド部２６５周囲の骨の再吸収を防止し、及び／又はヘッド部２６５周囲の骨形成の増加を許す。ある実施例で、ヘッド部２６５は、凹面形区域を提供して、骨及び／又は柔組織がその中で成長することを許す。
【００４１】
ある実施例で、軸部２７５は、少なくとも一部の長さに沿って伸び出した雄ネジ２７６を含む。ある実施例で、雄ネジ２７６は、連続するものである。ある実施例で、雄ネジ２７６は、Ｖ形ネジ、四角ネジ、偏台形ネジ、逆方向偏台形ネジまたはこれらのネジでの二つ以上の組合せである。ある実施例で、軸部２７５は、遠い末端２８０からヘッド部２６５へ伸び出した基本的に縦方向の凹溝（示しない）を含む。縦方向の凹溝（示しない）は、大きい表面領域を提供し、骨は当該面領域で成長して形成し、インプラント体固定部材２００の顎骨での縦方向及び回転運動を防止する。
【００４２】
図７ａ〜図７ｃを参照すると、本公開によるデンタルインプラント固定部材８００を示す。公開するある実施例で、デンタルインプラント固定部材８００は、近い末端８７０を有するヘッド部８６５を含む。ある実施例で、固定部材８００は、遠い末端８８１を有する伸び出した軸部８７５を含む。ある実施例で、ヘッド部８６５は、軸部８７５と全体的に結合して、一体のインプラント体固定部材８００を形成する。このような構造は、細菌又は他の感染がインプラント体固定部材８００的ヘッド部と軸部との間で成長することを防止する。ある実施例で、伸び出した軸部８７５は、テーパー状である。
【００４３】
ある実施例で、インプラント体固定部材８００は、一部が近い末端８７０から下方向へ軸部８７５までに伸びだした段階式の内部閉止穴８８０を含み、図７ｃに示すとおりである。ある実施例で、段階式の内部閉止穴８８０は偏心されている。ある実施例で、内部閉止穴８８０は、少なくとも一部の長さに沿っている雌ネジ８８５と、雌ネジ８８５の上に位置するリングフレーム８９０（図７ｃに示す）とを含む。ある実施例で、当該雌ネジ８８５は、ボルト部材６２の雄ネジ３０４に適応するように配置されている。ある実施例で、段階式の内部閉止穴８８０は、ベズ部材６３の突出接続端３０７（上でより詳細に記述されている）を収納するように配置されている。
【００４４】
図７ｂを参照すると、公開するある実施例によるインプラント体固定部材８００の平面図を示す。ある実施例で、近い末端８７０は、円形のフラット表面８９５を有し、円形のフラット表面８９５は、長い軸線と短い軸線の周囲表面９００によって囲まれる。ある実施例で、近い末端８７０は、さらに、標準歯科ツールを収納するための小先端の二つ以上の穴径８０５、８１０、８１１を有し、標準歯科ツールは、例えばインプラント体固定部材８００を配向するためのインプラント体フレーム又は手動駆動器である。ある実施例で、ヘッド部８６５は、少なくとも一つの狭い面部側表面領域８２０と、少なくとも一つの広い面領域８３０とを含む。面部側表面領域８２０は、患者口腔の顔側の歯肉組織の輪廓に適応し、それは患者のリップの内表面に隣接した場所に位置しており、表面領域８３０は、患者口腔の隣接側の歯肉組織の輪廓に適応し、患者の他の歯及び／又はインプラント体に隣接して位置決めている。ある実施例で、表面領域８３０は、患者口腔の舌側の歯肉組織の輪廓に適応し、患者の舌側又は口蓋側に隣接した場所に位置している。ある実施例で、表面領域８３０は、患者口腔の舌側の歯肉組織の輪廓に適応し、患者の舌側又は口蓋
側に隣接した場所に位置しており、患者口腔の隣接側の歯肉組織の輪廓に適応し、患者の他の歯及び／又は（複数の）インプラント体に隣接した場所に位置している。ある実施例で、面部側表面領域８２０は、インプラント体固定部材８００の中心に凹み込んでいる。
【００４５】
ある実施例で、面部側表面領域８２０は、骨がその中で成長するための領域を提供して、頭蓋顔面の成長によるインプラント体固定部材８００に隣接する顎骨の退化を補償する。ある実施例で、面部側表面領域８２０は、骨がその中で成長するためのアーチ型の領域を提供して、頭蓋顔面の成長によるインプラント体固定部材８００に隣接する顎骨の退化を補償する。ある実施例で、面部側表面領域８２０は、骨がその中で成長するためのフラットな領域を提供して、頭蓋顔面の成長によるインプラント体固定部材８００に隣接する顎骨の退化を補償する。ある実施例で、面部側表面領域８２０骨がその中で成長するための凹面形領域を提供して、頭蓋顔面の成長によるインプラント体固定部材８００に隣接する顎骨の退化を補償する。面部側表面領域８２０に隣接する骨体積及び／又は柔組織体積の増加は、デンタルインプラント固定部材８００が早期に露出してしまうのを防止する。
【００４６】
ある実施例で、面部側表面領域８２０は、凹面形領域を提供して、存在する骨と面部側表面領域８２０の間の間隙による骨形成を改善する。ある実施例で、面部側表面領域８２０は、大きい骨がその中で成長するための凹面形領域を提供する。ある実施例で、面部側表面領域８２０は、凹面形領域を提供して、当該過程期間及び／又は当該過程に続く骨とインプラント体固定部材８００との間の圧力を防止／最小化する。当該過程期間及び／又は当該過程に続く骨とインプラント体固定部材８００の間の圧力を防止及び／又は最小化して、インプラント体固定部材８００周囲の骨の再吸収を防止し、及び／又はインプラント体固定部材８００周囲の骨形成の増加を許す。ある実施例で、面部側表面領域８２０は、凹面形区域を提供して、骨及び／又は柔組織がその中で成長することを許す。
【００４７】
ある実施例で、デンタルインプラント固定部材８００は縦方向の凹溝３６（図２ａおよび図２ｂを参照）を含まないので、骨がその中で成長することを防止し、患者の顎骨に対する傷害が小さくデンタルインプラント固定部材８００を取り除くことができる。ある実施例で、面部側表面領域８２０は、骨がその中で成長できる領域を提供して、インプラント体固定部材８００の患者の顎骨での縦方向及び回転運動を防止する。
【００４８】
ある実施例で、軸部８７５包は、その少なくとも一部の長さに沿って伸び出した雄ネジ８７６（図７ａに示す）を含む。ある実施例で、雄ネジ８７６は連続するものである。ある実施例で、雄ネジ８７６は、Ｖ形ネジ、四角ネジ、偏台形ネジ、逆方向偏台形ネジまたはこれらのネジでの二つ以上の組合せである。ある実施例で、軸部８７５は、遠い末端８８１からヘッド部８６５へ伸び出した基本的に縦方向の凹溝或裏スロット（示しない）を含む。縦方向の凹溝（示しない）は、大きい表面領域を提供し、骨は当該面領域で成長して形成して、インプラント体固定部材８００の顎骨での縦方向及び回転運動を防止する。
【００４９】
本発明の若干の説明性の実施方案を示し記載したが、本分野の当業者はいろいろな変形とその代用の実施方案を想到できる。これらの変形とその代用の実施方案は予期的なもので、本発明の保護範囲に限定した範囲を離脱しなく実施できる。
【００５０】
本明細書及び保護範囲に記載した単数形式「一」、「一つ」と「当該」は、特に明確に記載しなかった限り複数形式を含む。技術用語「複数」は、特に明確に記載しなかった限り、二つ以上を含む。他に定義しなかった限り、本文で利用する全部の技術及び科学用語は、全部本公開の所属領域の当業者が一般的に理解できる同じ意味を有する。
【００５１】
法律の要求に従って例示的に好ましい実施方案を示した前記詳細な記述は、説明及び公開を目的とする。それは、無限列挙するためのものではなく、本発明を記載したものに限
定するためのものでもなく、ただ本分野の当業者が本発明がどのように特定な利用又は実現製品に適合するかを理解させるためのものである。修正及び変形の可能性は、本分野の当業者にとって容易なものである。公差、特徴サイズ、具体的な操作条件、工程標準等の例示的な実施方案の記述は限定するものではなく、各実施形態の間または従来の技術の状態を変化でき、またそれで限定を意味するものではない。出願人は、本分野の従来の状態に対して本公開をするとともにその進歩を予期し、後の修正はこれらの進歩即ち本分野の現在状態を考慮することができる。即ち、本発明の範囲は特許保護範囲及び利用できる均等物によって限定される。明確に記載しなかった限り、特許範囲で単数の表現は「一つ」だけを意味しない。また、保護範囲で明確に記載しても、本公開での素子、部材、方法又は過程ステップは公衆のみに利用するものではない。本文の保護範囲の要素は３５Ｕ．Ｓ．Ｃ．第１１２部分第６段落の規定によって解釈するものはなく、「のためのステップ」と明確に記載しなかった限り、本文における方法又は過程ステップもそれらの規定によって解釈するものではない。
【図１ａ】
2020062470.tif 000003
【図１ｂ】
2020062470.tif 000004
【図１ｃ】
2020062470.tif 000005
【図１ｄ】
2020062470.tif 000006
【図２ａ】
2020062470.tif 000007
【図２ｂ】
2020062470.tif 000008
【図３ａ】
2020062470.tif 000009
【図３ｂ】
2020062470.tif 000010
【図３ｃ】
2020062470.tif 000011
【図４】
2020062470.tif 000012
【図５ａ】
2020062470.tif 000013
【図５ｂ】
2020062470.tif 000014
【図６】
2020062470.tif 000015
【図７ａ】
2020062470.tif 000016
【図７ｂ】
2020062470.tif 000017
【図７ｃ】
2020062470.tif 000018